(57)【要約】【課題】タグリーダライタに入出力される無線電波の減衰を防止する。【解決手段】金属製の洗浄槽１４にセットされる内視鏡１２の操作部３３に内視鏡タグ４８を設ける。洗浄槽１４内にセットされた操作部３３の近傍に位置する洗浄槽１４の内壁面３７に傾斜面部３７ｂを設ける。傾斜面部３７ｂに、切り欠き穴５４を形成する。切り欠き穴５４に、内視鏡タグ用リーダライタ（Ｒ／Ｗ）５１と、これを保持する保持部材５２とからなるＲ／Ｗユニット４９を取り付ける。保持部材５２は、内視鏡タグ用Ｒ／Ｗ５１を切り欠き穴５４に挿入した状態で保持する。内視鏡タグ用Ｒ／Ｗ５１と切り欠き穴５４の周縁部との間には所定の間隔が確保される。これにより、内視鏡タグ用Ｒ／Ｗ５１に入出力される無線電波が洗浄槽１４に流れることが防止されるので、無線電波の減衰を防止することができる。【選択図】図４
2010063610.tif 000002
【特許請求の範囲】
【請求項１】
使用後の医療用具にリプロセス処理を施すための金属製の処理槽と、
前記処理槽を覆う開閉可能な蓋と、
前記処理槽における、前記リプロセス処理中にリプロセス処理用の液体が前記処理槽を満たす水面以下の位置に設けられ、前記処理槽内に前記液体が貯えられていない時に、前記処理槽内にセットされた前記医療用具に設けられた第１情報記憶手段と通信を行う無線通信手段と、
前記処理槽の内側面の前記水面以下の位置に形成された切り欠き穴と、
電波透過材料で形成され、前記切り欠き穴を液密に塞ぐとともに、前記無線通信手段を前記切り欠き穴に挿入した状態で保持する保持部材とを備えることを特徴とするリプロセス処理装置。
【請求項２】
前記処理槽の内側面の少なくとも一部は、前記処理槽の水面に対して鉛直な又は傾斜した面になっており、
前記切り欠き穴は、前記鉛直な又は傾斜した面に形成されていることを特徴とする請求項１記載のリプロセス処理装置。
【請求項３】
前記鉛直な又は傾斜した面には、少なくとも前記無線通信手段を覆うように撥水性コートが施されていることを特徴とする請求項２記載のリプロセス処理装置。
【請求項４】
前記処理槽内に設けられ、前記無線通信手段が設けられている位置に向けて乾燥風を吹き付ける乾燥風吹付け手段を備えることを特徴とする請求項１ないし３いずれか１項記載のリプロセス処理装置。
【請求項５】
前記蓋は、電波透過材料で形成されており、
前記無線通信手段は、閉じた状態の前記蓋を通して、オペレータＩＤが記憶された第２情報記憶手段と通信を行うことを特徴とする請求項１ないし４いずれか１項記載のリプロセス処理装置。
【請求項６】
前記蓋における前記無線通信手段の略上方に位置する部分を、前記無線通信手段との距離が所定範囲内となるまで凹ませて形成され、前記第２情報記憶手段がセットされるセット部を有しており、
前記無線通信手段は、前記第２情報記憶手段が前記セット部にセットされた時に、前記第２情報記憶手段と通信を行うことを特徴とする請求項５記載のリプロセス処理装置。
【請求項７】
使用後の医療用具にリプロセス処理を施すための金属製の処理槽と、前記処理槽を覆う開閉可能な蓋とを備え、前記処理槽の縁部が金属で形成されているリプロセス処理装置において、
前記医療用具に設けられた第１情報記憶手段、またはオペレータＩＤが記憶された第２情報記憶手段の少なくともいずれか一方と通信を行う無線通信手段と、
前記処理槽の縁部に形成された切り欠き穴と、
電波透過材料で形成され、前記切り欠き穴を液密に塞ぐとともに、前記無線通信手段を前記切り欠き穴に挿入した状態で保持する保持部材とを備えることを特徴とするリプロセス処理装置。
【請求項８】
前記処理槽の縁部には、前記リプロセス処理の操作を行うための操作部が設けられており、
前記切り欠き穴は、前記操作部に形成されていることを特徴とする請求項７記載のリプロセス処理装置。
【請求項９】
前記処理槽の縁部の少なくとも一部は、前記処理槽の水面に向かって傾斜した傾斜面になっており、
前記切り欠き穴は、前記傾斜面に形成されていることを特徴とする請求項７または８記載のリプロセス処理装置。
【請求項１０】
前記傾斜面には、少なくとも前記無線通信手段を覆うように撥水性コートが施されていることを特徴とする請求項９記載のリプロセス処理装置。
【請求項１１】
前記蓋は電波透過材料で形成され、前記蓋を閉じた時に前記無線通手段の上方が前記蓋にて覆われるとともに、
前記無線通信手段は、閉じた状態の前記蓋を通して、前記第２情報記憶手段と通信を行うことを特徴とする請求項７ないし１０いずれか１項記載のリプロセス処理装置。
【請求項１２】
前記蓋における前記無線通信手段の略上方に位置する部分を、前記無線通信手段との距離が所定範囲内となるまで凹ませて形成され、前記第２情報記憶手段がセットされるセット部を有しており、
前記無線通信手段は、前記第２情報記憶手段が前記セット部にセットされた時に、前記第２情報記憶手段と通信を行うことを特徴とする請求項１１記載のリプロセス処理装置。
【発明の詳細な説明】
【技術分野】
【０００１】
本発明は、使用後の内視鏡等の医療用具にリプロセス処理を施すリプロセス処理装置に関するものである。
【背景技術】
【０００２】
医療機関では、内視鏡を利用した医療診断が盛んに行われている。医療診断で使用された内視鏡は、病気の感染を防ぐために内視鏡用の洗浄装置にセットされて洗浄処理（洗浄・消毒・すすぎ・乾燥）される。洗浄装置は、内視鏡が収容される洗浄槽と、洗浄槽を覆う開閉可能な蓋とを備えている。
【０００３】
洗浄装置で洗浄処理を行う際には、誰が装置を操作して、どの内視鏡に対して、洗浄処理を施したのかという洗浄情報の取得を行っている。例えば、内視鏡の操作部、オペレータのＩＤカードにそれぞれＲＦＩＤタグ（情報記憶手段）を設ける。そして、洗浄処理の開始前に、洗浄装置の洗浄槽外に設置したタグリーダライタ（無線通信手段）によって、各ＲＦＩＤタグから内視鏡ＩＤ、オペレータＩＤをそれぞれ取得する（特許文献１参照）。
【０００４】
ＲＦＩＤタグとしては、コストを下げるため、通信距離が数ｃｍの近距離タイプのものが用いられる。このため、オペレータは、内視鏡及びＩＤカードをそれぞれタグリーダライタに近接或いは接触させることで、双方の通信を確立させて、タグリーダライタによる各種情報の取得を実行させる。
【０００５】
ところで、使用後の内視鏡には汚れが付着しており、人体内に挿入されない操作部にも術者の手が触れるなどして汚れが付着している。従って、特許文献２では、オペレータが内視鏡の操作部をタグリーダライタに接触させると、タグリーダライタが汚染されてしまう。また、操作部をタグリーダライタに近接させた場合にも、この操作部の汚れがタグリーダライタ上に落ちるなどして、タグリーダライタが汚染されるおそれがある。タグリーダライタが汚染された場合には、オペレータがその表面を拭き掃除する必要があり、オペレータの作業が増えるという問題が発生する。
【０００６】
特許文献２には、タグリーダライタを洗浄槽内に配置した内視鏡洗浄消毒装置が記載されている。タグリーダライタを洗浄槽内に設けることで、内視鏡が洗浄処理される際にタグリーダライタも同時に洗浄処理されるため、タグリーダライタの汚染が除去される。その結果、オペレータによる汚染除去作業が不要になる。
【特許文献１】特開２００６−２３０４９１号公報
【特許文献２】特開２００２−２３８８４７号公報
【発明の開示】
【発明が解決しようとする課題】
【０００７】
ところで、洗浄槽は、強度確保のためステンレス等の金属、すなわち導電体で形成されている。このため、タグリーダライタを洗浄槽内に配置すると、このタグリーダライタに入出力される無線電波が洗浄槽（導電体）に流れて減衰するため、タグリーダライタとＲＦＩＤタグとの通信可能距離が激減するという問題が発生する。
【０００８】
本発明は上記問題を解決するためのものであり、金属製の洗浄槽内にタグリーダライタを設けた場合でも、タグリーダライタに入出力される無線電波の減衰を防止可能なリプロセス処理装置を提供することを目的とする。
【課題を解決するための手段】
【０００９】
上記目的を達成するため、使用後の医療用具にリプロセス処理を施すための金属製の処理槽と、前記処理槽を覆う開閉可能な蓋と、前記処理槽における、前記リプロセス処理中にリプロセス処理用の液体が前記処理槽を満たす水面以下の位置に設けられ、前記処理槽内に前記液体が貯えられていない時に、前記処理槽内にセットされた前記医療用具に設けられた第１情報記憶手段と通信を行う無線通信手段と、前記処理槽の内側面の前記水面以下の位置に形成された切り欠き穴と、電波透過材料で形成され、前記切り欠き穴を液密に塞ぐとともに、前記無線通信手段を前記切り欠き穴に挿入した状態で保持する保持部材とを備えることを特徴とする。なお、リプロセス処理とは、使用後の医療用具を再使用可能な状態にするための処理であり、洗浄処理、消毒処理、滅菌処理の少なくともいずれか一つを含む。
【００１０】
前記処理槽の内側面の少なくとも一部は、前記処理槽の水面に対して鉛直な又は傾斜した面になっており、前記切り欠き穴は、前記鉛直な又は傾斜した面に形成されていることが好ましい。これにより、無線通信の妨げとなるリプロセス処理用の液体（水分）を、無線通信手段上から除去することができるので、無線通信手段と第１情報記憶手段タグとの通信可能距離が激減することが防止される。
【００１１】
前記鉛直な又は傾斜した面には、少なくとも前記無線通信手段を覆うように撥水性コートが施されていることが好ましい。これにより、リプロセス処理用の液体をより確実に無線通信手段上から除去することができる。
【００１２】
前記処理槽内に設けられ、前記無線通信手段が設けられている位置に向けて乾燥風を吹き付ける乾燥風吹付け手段を備えることが好ましい。これにより、リプロセス処理用の液体をより確実に無線通信手段上から除去することができる。
【００１３】
前記蓋は、電波透過材料で形成されており、前記無線通信手段は、閉じた状態の前記蓋を通して、オペレータＩＤが記憶された第２情報記憶手段と通信を行うことが好ましい。これにより、１つの無線通信手段で第１及び第２情報記憶手段と通信を行うことができるので、装置のコストを下げることができる。また、蓋を閉じた状態で第２情報記憶手段との通信が可能となるので、第２情報記憶手段が汚染されることが防止される。
【００１４】
前記蓋における前記無線通信手段の略上方に位置する部分を、前記無線通信手段との距離が所定範囲内となるまで凹ませて形成され、前記第２情報記憶手段がセットされるセット部を有しており、前記無線通信手段は、前記第２情報記憶手段が前記セット部にセットされた時に、前記第２情報記憶手段と通信を行うことが好ましい。
【００１５】
また、本発明のリプロセス処理装置は、使用後の医療用具にリプロセス処理を施すための金属製の処理槽と、前記処理槽を覆う開閉可能な蓋とを備え、前記処理槽の縁部が金属で形成されているリプロセス処理装置において、前記医療用具に設けられた第１情報記憶手段、またはオペレータＩＤが記憶された第２情報記憶手段の少なくともいずれか一方と通信を行う無線通信手段と、前記処理槽の縁部に形成された切り欠き穴と、電波透過材料で形成され、前記切り欠き穴を液密に塞ぐとともに、前記無線通信手段を前記切り欠き穴に挿入した状態で保持する保持部材とを備えることを特徴とする。
【００１６】
前記処理槽の縁部には、前記リプロセス処理の操作を行うための操作部が設けられており、前記切り欠き穴は、前記操作部に形成されていることが好ましい。
【００１７】
前記処理槽の縁部の少なくとも一部は、前記処理槽の水面に向かって傾斜した傾斜面になっており、前記切り欠き穴は、前記傾斜面に形成されていることが好ましい。
【００１８】
前記傾斜面には、少なくとも前記無線通信手段を覆うように撥水性コートが施されていることが好ましい。
【００１９】
前記蓋は電波透過材料で形成され、前記蓋を閉じた時に前記無線通手段の上方が前記蓋にて覆われるとともに、前記無線通信手段は、閉じた状態の前記蓋を通して、前記第２情報記憶手段と通信を行うことが好ましい。
【００２０】
前記蓋における前記無線通信手段の略上方に位置する部分を、前記無線通信手段との距離が所定範囲内となるまで凹ませて形成され、前記第２情報記憶手段がセットされるセット部を有しており、前記無線通信手段は、前記第２情報記憶手段が前記セット部にセットされた時に、前記第２情報記憶手段と通信を行うことが好ましい。
【発明の効果】
【００２１】
本発明のリプロセス処理装置は、金属製の処理槽に切り欠き穴を形成し、内視鏡の第１情報記憶手段と通信を行う無線通信手段を切り欠き穴内に挿入した状態で保持するようにしたので、無線通信手段に入出力される無線電波が処理槽に流れて減衰することが防止される。これにより、無線通信手段と第１情報記憶手段との通信可能距離が激減することが防止される。
【００２２】
また、本発明のリプロセス処理装置は、処理槽の金属製の縁部に切り欠き穴を形成し、内視鏡の第１情報記憶手段、または第２情報記憶手段の少なくともいずれか一方と通信を行う無線通信手段を切り欠き穴内に挿入した状態で保持するようにしたので、同様に、無線通信手段に入出力される無線電波が縁部に流れて減衰することが防止される。
【発明を実施するための最良の形態】
【００２３】
図１に示す洗浄装置（リプロセス処理装置）１０は、使用後の内視鏡１２（医療用具、図２参照）に洗浄処理を施す。なお、洗浄処理は、例えば洗浄、消毒、すすぎ、乾燥の各工程に分かれている。この洗浄装置１０は、洗浄処理の開始前に、内視鏡１２及びオペレータの固有識別情報（内視鏡ＩＤ、オペレータＩＤ）を取得するとともに、洗浄処理の終了後に洗浄処理の結果（洗浄消毒結果情報）を内視鏡１２に記憶させる。
【００２４】
洗浄装置１０は、箱状の装置本体１３を備えている。装置本体１３の上面には、使用後の内視鏡１２が収容される洗浄槽（処理槽）１４が設けられている。洗浄槽１４は、上部が開放された水槽であり、例えばステンレス（ＳＵＳ）等の耐熱性、耐蝕性等に優れた金属板で形成されている。洗浄槽１４の開口１４ａは、開閉自在な蓋１５で覆われている。
【００２５】
蓋１５は、ヒンジ１６を介して装置本体１３に取り付けられており、洗浄槽１４の開口１４ａを閉じる閉位置と、開口１４ａを開放する開位置との間で回動する。蓋１５の内側の外周面には、閉位置で洗浄槽１４内を密閉するためのパッキング１５ａが設けられている。また、図示は省略するが、装置本体１３には、蓋１５を閉じ位置で解除可能にロックするロック機構が設けられている。
【００２６】
装置本体１３の上面周縁の一部には、蓋１５の開閉を検出する蓋検出センサ１８が設けられている。また、装置本体１３の上面手前には、操作パネル１９、表示パネル２０、スピーカ２１、カードタグ用リーダ２２が配置された操作部１３ａが設けられている。
【００２７】
操作パネル１９は、洗浄処理に関する各種設定や、洗浄処理の開始または停止等を指示するための多数のボタンを備えている。表示パネル２０には、例えば液晶ディスプレイ（ＬＣＤ）が用いられ、各種設定画面、各工程の残り時間、トラブル発生時の警告メッセージ等が表示される。スピーカ２１からは、洗浄処理の完了を知らせるための完了音声、トラブル発生時の警告音声等が出力される。
【００２８】
カードタグ用リーダ２２は、オペレータが携帯するＩＤカード（第２情報記憶手段）２３から、オペレータＩＤを取得する。オペレータＩＤは、洗浄装置１０を使用する病院内の個々のオペレータを識別するために付された識別情報である。ＩＤカード２３には、カードタグ２４が設けられている。カードタグ２４は、周知のＲＦＩＤタグ（パッシブタグ）であり、図示は省略するが、無線による情報の送受信を行うためのアンテナと、オペレータＩＤを記憶したメモリと、受信した電波の一部を駆動用の電力に変換する電力変換回路とを備えている。
【００２９】
オペレータがＩＤカード２３をカードタグ用リーダ２２に近接または接触させると、双方の通信が確立して、カードタグ２４は、カードタグ用リーダ２２から発信されるＩＤリクエストを受信する。カードタグ２４は、受信したＩＤリクエストに応答してオペレータＩＤを発信する。これにより、カードタグ用リーダ２２は、オペレータＩＤを取得する。
【００３０】
洗浄槽１４の角部に設けられた傾斜部１４ｂには、内視鏡１２の洗浄処理（洗浄、消毒）に用いる液体（以下、処理液という）を洗浄槽１４内に供給する供給ポート２５が設けられている。供給ポート２５には、洗浄槽１４内に向けられた給水ノズル２６、洗剤供給ノズル２７、消毒液供給ノズル２８が設けられている。各ノズル２６〜２８は、洗浄槽１４内に貯えられる処理液の液面よりも高い位置に配置されている。また、蓋１５には、供給ポート２５を収容する凹部１５ｂが設けられている。
【００３１】
給水ノズル２６は、洗浄槽１４内に水を供給する。洗剤供給ノズル２７は、装置本体１３内に設けられた洗剤タンク内に貯えられている洗剤を洗浄槽１４内に供給する。消毒液供給ノズル２８は、装置本体１３内に設けられた消毒液タンク内に貯えられている消毒液を洗浄槽１４内に供給する。使用後の内視鏡１２に付着している体液や汚物は、水と洗剤とが混合された洗浄液により洗い流される。洗浄液で洗い流されなかった病原菌やウイルスは、消毒液により除去、または病原性が消失される。
【００３２】
洗浄槽１４内には、液面センサ２９が設けられている。液面センサ２９は、洗浄槽１４内に貯えられた液体の液面位置を検出する。洗浄槽１４の底面１４ｃの角部には、廃液口３０が設けられている。廃液口３０は、洗浄槽１４から使用済みの水、洗浄液を洗浄装置１０の外に排出する。また、消毒液は劣化するまで繰り返し使用されるため、図示していないが、消毒工程では、廃液口３０に流れ込んだ消毒液は、廃液口３０に繋がれた排水管の途中に設けられた電磁弁によって流路が変更され、消毒液タンク内に戻される。
【００３３】
図２に示すように、内視鏡１２は、生体の体腔内に挿入される挿入部３２と、挿入部３２を操作する操作部３３とを備えている。挿入部３２は、断面が円形の棒状体であり、可撓性を有している。挿入部３２の先端には、図示は省略するが、体腔内を照明する照明部と、体腔内を撮影する撮影部とが設けられている。また、挿入部３２内には、図示は省略するが、送気・送水チャンネル、鉗子チャンネル、及び鉗子チャンネルに接続した吸引チャンネルが設けられている。
【００３４】
操作部３３には、周知のアングルノブ３４の他に、送気・送水チャンネルに連なる装着口３３ａ、吸引チャンネルに連なる装着口３３ｂ、及び鉗子チャンネルに連なる鉗子口３３ｃが設けられている。なお、装着口３３ａ，３３ｂには、内視鏡１２の使用時に、図示しない送気・送水ボタン、吸引ボタンがそれぞれ取り付けられる。
【００３５】
操作部３３に接続されたユニバーサルコード３５及びコネクタ部３６内には、送気・送水チャンネル及び吸引チャンネルと、照明部及び撮影部の配線が組み込まれている。また、コネクタ部３６には、配線を光源装置やビデオプロセッサに接続する接点部が設けられている。
【００３６】
内視鏡１２は、その操作部３３が洗浄槽１４の図中右側の内側面（以下、単に内側面という）３７の近傍に位置するように、洗浄槽１４内にセットされる。なお、コネクタ部３６は廃液口３０の近傍にセットされ、挿入部３２は円状に湾曲した状態で洗浄槽１４の略中央部にセットされる。内側面３７は、洗浄槽１４の上面から鉛直下方に延びた第１鉛直面３７ａと、第１鉛直面３７ａの下端部から洗浄槽１４の内側に向かって傾斜した傾斜面３７ｂと、傾斜面３７ｂの下端部から底面１４ｃまで鉛直下方に延びた第２鉛直面３７ｃとから構成される（図４参照）。
【００３７】
図３に示すように、内側面３７の第１鉛直面３７ａには、チャンネル洗浄ポート３８が設けられている。チャンネル洗浄ポート３８には、送気・送水チャンネル用カプラ３９、吸引チャンネル用カプラ４０、鉗子チャンネル用カプラ４１、乾燥用ノズル（乾燥風吹付け手段）４２が設けられている。
【００３８】
各カプラ３９〜４１は、柔軟性を有するチューブ４４〜４６によって、内視鏡１２の装着口３３ａ，３３ｂ、鉗子口３３ｃに接続されている。各カプラ３９〜４１からは、水、洗剤、消毒液、アルコール、及び乾燥風（圧縮エア）等の液体及び気体が、内視鏡１２内の各チャンネル内に供給される。乾燥用ノズル４２は、その先端部が略鉛直下方の傾斜面３７ｂに向けられており、傾斜面３７ｂに向けて乾燥風を吹き付ける。
【００３９】
内視鏡１２の操作部３３の一部には、内視鏡タグ（第１情報記憶手段）４８が設けられている。内視鏡タグ４８は、前述のカードタグ２４と同様のパッシブタグであり、前述のアンテナ、電力変換回路の他に、内視鏡ＩＤ及び洗浄消毒結果情報を記憶したメモリを備えている。内視鏡ＩＤは、個々の内視鏡１２を識別するために付された識別情報である。洗浄消毒結果情報は、例えば、内視鏡１２に施された洗浄処理の工程内容（洗浄回数、消毒回数、すすぎ回数）や、洗浄処理の条件（処理液の種類、温度等）、洗浄処理を施した日付、オペレータＩＤ等から構成される。
【００４０】
傾斜面３７ｂには、操作部３３の近傍の位置で、且つ前述の乾燥用ノズル４２の鉛直下方位置で、且つ洗浄処理中における洗浄槽１４を満たす処理液の水面（液面）Ｓ（図４参照）以下の位置に、内視鏡タグ用リーダライタユニット（以下、単にＲ／Ｗユニットという）４９が取り付けられている。ただし、Ｒ／Ｗユニット４９が作動するのは、洗浄槽１４内に処理液が無い状態の時である。
【００４１】
図３中のＩＶ−ＩＶ線に沿う断面を示した図４において、Ｒ／Ｗユニット４９は、本発明の無線通信手段に相当する内視鏡タグ用リーダライタ（以下、内視鏡タグ用Ｒ／Ｗという）５１と、この内視鏡タグ用Ｒ／Ｗ５１を保持する保持部材５２とから構成される。
【００４２】
内視鏡タグ用Ｒ／Ｗ５１は、洗浄処理の開始前に、内視鏡タグ４８に対してＩＤリクエストを送信し、このＩＤリクエストに応じて内視鏡タグ４８から送信される内視鏡ＩＤを受信する。また、内視鏡タグ用Ｒ／Ｗ５１は、洗浄処理の終了後に、洗浄消毒結果情報を内視鏡タグ４８に書き込む。なお、内視鏡タグ４８はパッシブタグであるため、内視鏡タグ４８と内視鏡タグ用Ｒ／Ｗ５１との通信可能距離は数ｃｍ程度である。従って、内視鏡１２の操作部３３が、洗浄槽１４の内側面３７の近傍に位置する洗浄セット位置（図２参照）にセットされた時に、内視鏡タグ４８と内視鏡タグ用Ｒ／Ｗ５１との距離が前述の通信可能距離の範囲内となり、双方の通信が確立する。
【００４３】
Ｒ／Ｗユニット４９を洗浄槽１４に取り付ける際に、内視鏡タグ用Ｒ／Ｗ５１の直ぐ近くに導電体があると、この内視鏡タグ用Ｒ／Ｗ５１に入出力される無線電波が導電体に流れて減衰してしまうので、前述の通信可能距離が激減する。このため、内視鏡タグ用Ｒ／Ｗ５１を直にＳＵＳ製の洗浄槽１４に取り付けることはできない。また、無線電波は液体中では伝わらないので、Ｒ／Ｗユニット４９上に処理液が残留している場合にも、無線電波が減衰して通信可能距離が激減する。
【００４４】
そこで、本実施形態では、ＳＵＳ製の洗浄槽１４による無線電波の減衰を防止するために、洗浄槽１４（傾斜面３７ｂ）を切り欠いて、この切り欠かれた部分にＲ／Ｗユニット４９を取り付けている。また、液体の残留による無線電波の減衰を防止するために、Ｒ／Ｗユニット４９を傾斜面３７ｂにおける乾燥用ノズル４２の鉛直下方位置（乾燥風吹き付け位置）に取り付けている。更に、Ｒ／Ｗユニット４９に付着した汚れ（汚染）が内視鏡１２の洗浄処理によって除去されるように、Ｒ／Ｗユニット４９を、洗浄処理中には処理液に接する位置に取り付けている。
【００４５】
傾斜面３７ｂにおける乾燥用ノズル４２の鉛直下方位置には、切り欠き穴５４が形成されている。切り欠き穴５４の開口面積は、内視鏡タグ用Ｒ／Ｗ５１よりも十分に大きく形成されている。この切り欠き穴５４は、洗浄処理中における処理液の水面Ｓよりも低い位置に形成されるため、保持部材５２により液密に塞がれる。
【００４６】
保持部材５２は、無線電波を透過可能な電波透過材料（例えばＡＢＳ樹脂）で形成されており、切り欠き穴５４に液密に嵌合する嵌合部５２ａと、この嵌合部５２ａの後端部の周縁上に一体形成された鍔部５２ｂとからなる。嵌合部５２ａは、鍔部５２ｂが洗浄槽１４の外側に位置するように、切り欠き穴５４に嵌合している。なお、本実施形態では、嵌合部５２ａの表面と傾斜面３７ｂとが面一になる。
【００４７】
傾斜面３７ｂには、その切り欠き穴５４の周縁部にネジ挿通穴５６が複数形成されている。各ネジ挿通穴５６には、洗浄槽１４の内側から雄ネジ５７がそれぞれ挿通され、各雄ネジ５７は、保持部材５２の鍔部５２ｂにそれぞれ形成された雌ネジ部５８に螺合する。これにより、傾斜面３７ｂの裏面に保持部材５２が固定される。なお、鍔部５２ｂと傾斜面３７ｂの裏面との間には、液漏れを防止するためにＯリング５９が設けられている。Ｏリング５９は、鍔部５２ｂの表面（傾斜面３７ｂに対向する面）に形成された環状溝６０に嵌着されており、雄ネジ５７を締めることによりつぶれる。
【００４８】
内視鏡タグ用Ｒ／Ｗ５１の周縁部には、ネジ挿通穴６１が複数形成されている。各ネジ挿通穴６１には、その裏面側から雄ネジ６２がそれぞれ挿通され、各雄ネジ６２は、嵌合部５２ａの裏面に形成された雌ネジ部６３に螺合する。これにより、嵌合部５２ａの裏面に内視鏡タグ用Ｒ／Ｗ５１が固定される。
【００４９】
このように内視鏡タグ用Ｒ／Ｗ５１は、保持部材５２によって、洗浄槽１４の外側から切り欠き穴５４に挿入された状態で保持される。これにより、内視鏡タグ用Ｒ／Ｗ５１と洗浄槽１４（切り欠き穴５４の周縁部）との間には、所定の間隔が確保される。この間隔の大きさは、切り欠き穴５４の大きさによって決定され、少なくとも内視鏡タグ用Ｒ／Ｗ５１に入出力される無線電波が洗浄槽１４に流れない程度の大きさになっている。
【００５０】
洗浄処理の終了後、傾斜面３７ｂ及び嵌合部５２ａの表面上に残った処理液は、これらの傾斜に沿って第２鉛直面３７ｃへ流れ落ちる。更に、本実施形態では、傾斜面３７ｂ及び嵌合部５２ａの表面に撥水性コートが施されている。これにより、傾斜面３７ｂ及び嵌合部５２ａの表面上の処理液が第２鉛直面３７ｃへより流れ落ち易くなる。なお、傾斜面３７ｂの傾き角度は、特に限定されないが大きい方（例えば、水面Ｓに対して４５°以上）が好ましい。
【００５１】
また、嵌合部５２ａ（傾斜面３７ｂ）には、その鉛直上方に配置された乾燥用ノズル４２から乾燥風が吹き付けられる。この乾燥風の吹き付けは、例えば洗浄処理が終了した直後に所定時間（例えば１分）実行される。このように、（ａ）傾斜面３７ｂ及び嵌合部５２ａの傾斜、（ｂ）撥水性コート、（ｃ）乾燥風の吹き付けにより、嵌合部５２ａの表面上の処理液を確実に除去することができる。
【００５２】
図５に示すように、洗浄装置１０は、装置全体を統括的に制御するＣＰＵ６５と、制御プログラムや各種データが記憶されたＲＯＭ６６と、ＲＯＭ６６から読み出された制御プログラムの実行領域であるＲＡＭ６７とを備えている。ＣＰＵ６５には、蓋検出センサ１８や液面センサ２９等の各種センサの他、操作パネル１９、表示パネル２０を駆動するＬＣＤドライバ６８、スピーカ２１、カードタグ用リーダ２２、内視鏡タグ用Ｒ／Ｗ５１、モータドライバ６９、弁ドライバ７０等が接続されている。
【００５３】
モータドライバ６９は、前述の洗剤タンク、消毒液タンクからそれぞれ洗剤、消毒液を洗浄槽１４の各部（洗剤供給ノズル２７、消毒液供給ノズル２８、チャンネル洗浄ポート３８等）に供給する液供給ポンプ（図示せず）のモータ７２、及びチャンネル洗浄ポート３８等に乾燥風を供給するエア供給ポンプ（図示せず）のモータ７３を駆動する。
【００５４】
弁ドライバ７０は、水道水の蛇口、各タンク、及びエア供給ポンプと、各ノズル２６〜２８及びチャンネル洗浄ポート３８とをそれぞれ接続する配管路に設けられた電磁弁（図示せず）の駆動を制御する。これにより、各ノズル２６〜２８からの水、洗剤、消毒液の供給・供給停止の切替等を行うことができる。また、チャンネル洗浄ポート３８の各カプラ３９〜４１への洗浄液（水＋洗剤）、消毒液、乾燥風の供給・供給停止の切替や、乾燥用ノズル４２への乾燥風の供給・供給停止の切替を行うことができる。
【００５５】
次に図６のフローチャートを用いて、上記構成の洗浄装置１０の作用について説明を行う。オペレータは、操作パネル１９を操作して洗浄装置１０の電源をＯＮし、蓋１５のロックを解除した後、この蓋１５を閉じ位置から開き位置に回動させる。
【００５６】
ＣＰＵ６５は、蓋検出センサ１８の検知結果に基づき、蓋１５が開き位置へ回動された時に、カードタグ用リーダ２２及び内視鏡タグ用Ｒ／Ｗ５１を作動させる。そして、オペレータは、内視鏡１２を洗浄槽１４内にセットする。
【００５７】
この際に、本実施形態では、内視鏡タグ用Ｒ／Ｗ５１の周囲の洗浄槽１４を切り欠いているので、内視鏡タグ用Ｒ／Ｗ５１に入出力される無線電波が洗浄槽１４に流れることはなく、内視鏡タグ用Ｒ／Ｗ５１と内視鏡タグ４８との通信可能距離が激減することもない。従って、内視鏡１２の操作部３３が前述の洗浄セット位置にセットされると、内視鏡タグ４８と内視鏡タグ用Ｒ／Ｗ５１とが通信可能になる。これにより、内視鏡タグ用Ｒ／Ｗ５１は内視鏡タグ４８から内視鏡ＩＤを取得する。なお、内視鏡ＩＤと共に、先に記憶された洗浄消毒結果情報も同時に取得してもよい。
【００５８】
ＣＰＵ６５は、内視鏡タグ用Ｒ／Ｗ５１が内視鏡ＩＤ等を取得した後、スピーカ２１から「ピッ！」等の確認音を出力するとともに、ＬＣＤドライバ６８を制御して、内視鏡タグ４８から取得した情報を表示パネル２０に表示させる。オペレータは、確認音の出力等を確認した後、蓋１５を閉じ位置へ回動させる。そして、ＣＰＵ６５は、蓋検出センサ１８の検知結果に基づき、蓋１５が閉じ位置へ回動された時に、ＬＣＤドライバ６８を制御して、「ＩＤカードをカードタグ用リーダに接触させてください」といったメッセージを表示パネル２０に表示させる。
【００５９】
オペレータが、メッセージに従ってＩＤカード２３をカードタグ用リーダ２２に接触させると、カードタグ用リーダ２２がカードタグ２４からオペレータＩＤを取得する。この時も、ＣＰＵ６５は、スピーカ２１から確認音を出力する。
【００６０】
次いで、オペレータは、操作パネル１９で洗浄処理の開始操作を行う。この開始操作が成された時に、ＣＰＵ６５は、内視鏡ＩＤ及びオペレータＩＤからなる洗浄前情報を全て取得したか否かを確認する。そして、ＣＰＵ６５は、洗浄前情報を全て取得している場合には、蓋１５をロックした後、モータドライバ６９及び弁ドライバ７０を駆動して洗浄処理（洗浄、消毒、すすぎ、乾燥）を実行させる。なお、洗浄処理の具体的な内容については周知であるので、ここでは説明を省略する。洗浄処理が実行されると、内視鏡タグ用Ｒ／Ｗ５１に付着した汚れも除去される。
【００６１】
逆に、ＣＰＵ６５は、洗浄前情報を全て取得していない状態で洗浄処理の開始操作がなされた場合には、スピーカ２１からエラー音（チャイム）を出力するとともに、ＬＣＤドライバ６８を制御して、「カードタグ（内視鏡タグ）をカードタグ用リーダ（Ｒ／Ｗユニット）に接触させてください」といったエラーメッセージを表示パネル２０に表示させる。
【００６２】
オペレータは、エラーメッセージに従って、カードタグ２４をカードタグ用リーダ２２に接触、或いは蓋１５を開けて、内視鏡タグ４８をＲ／Ｗユニット４９に接触させる。ＣＰＵ６５は、洗浄前情報が全て取得されるまで、エラー音の出力・エラーメッセージの表示を継続する。そして、洗浄前情報が全て取得された後、オペレータが洗浄処理の開始操作を再度行うと、前述したように洗浄処理が開始される。なお、エラー音の出力・エラーメッセージの表示が継続している状態でも、オペレータが操作パネル１９等を操作して、強制的に洗浄処理を開始させられるようにしてもよい。
【００６３】
洗浄処理が終了すると、洗浄槽１４から全ての処理液が排液される。この際に、撥水性コートが施された傾斜面３７ｂ及び嵌合部５２ａの表面上の処理液は、これらの傾斜に沿って第２鉛直面３７ｃへ流れ落ちる。また、ＣＰＵ６５は、洗浄処理が終了した後、モータドライバ６９及び弁ドライバ７０を制御して、乾燥用ノズル４２から嵌合部５２ａ及び傾斜面３７ｂに向けて乾燥風を所定時間吹き付ける。これにより、嵌合部５２ａの表面から処理液が完全に除去される。
【００６４】
乾燥風の吹き付け作業が終了した後、ＣＰＵ６５は、例えば洗浄処理のプログラム（洗浄回数、消毒回数、すすぎ回数、温度条件）、予め入力されている洗剤及び消毒液の種類、先に取得したオペレータＩＤ等に基づいて、新たな洗浄消毒結果情報を生成する。また、ＣＰＵ６５は、洗浄消毒結果情報に内視鏡ＩＤを加えた洗浄履歴情報を生成し、この洗浄履歴情報を、洗浄装置１０にＬＡＮ接続された図示しない管理サーバー等に送信する。
【００６５】
次いで、ＣＰＵ６５は、内視鏡タグ用Ｒ／Ｗ５１を駆動して、応答リクエストを発信させる。ＣＰＵ６５は、応答リクエストに応じて内視鏡タグ４８から発信された応答信号が内視鏡タグ用Ｒ／Ｗ５１で受信された場合には、両者は通信可能な状態にあると判定する。そして、ＣＰＵ６５は、内視鏡タグ用Ｒ／Ｗ５１から新たな洗浄消毒結果情報を発信して、内視鏡タグ４８のメモリに新たな洗浄消毒結果情報を書き込む。ＣＰＵ６５は、ＬＣＤドライバ６８を制御して、「内視鏡を取り出して下さい」といったメッセージを表示パネル２０に表示させるとともに、蓋１５のロックを解除する。オペレータは、メッセージに従って、蓋１５を開けた後、洗浄槽１４から内視鏡１２を取り出す。
【００６６】
逆に、ＣＰＵ６５は、内視鏡タグ４８からの応答信号が内視鏡タグ用Ｒ／Ｗ５１で受信されない場合に、両者は通信可能な状態にないと判定し、ＬＣＤドライバ６８を制御して、「内視鏡タグをＲ／Ｗユニットに接触させてください」といったエラーメッセージを表示パネル２０に表示させるとともに、スピーカ２１から警告音を出力する。また、ＣＰＵ６５は蓋１５のロックを解除する。
【００６７】
オペレータは、エラーメッセージに従って蓋１５を開けて、内視鏡タグ４８をＲ／Ｗユニット４９に接触させる。ＣＰＵ６５は、内視鏡タグ用Ｒ／Ｗ５１により新たな洗浄消毒結果情報が内視鏡タグ４８に書き込まれるまで、エラー音の出力・エラーメッセージの表示を継続する。オペレータは、エラー音の出力・エラーメッセージの表示が停止した後、洗浄槽１４から内視鏡１２を取り出す。
【００６８】
以上のように本発明では、内視鏡タグ用Ｒ／Ｗ５１の周囲のＳＵＳ（洗浄槽１４）を切り欠くことで、内視鏡タグ用Ｒ／Ｗ５１に入出力される無線電波が洗浄槽１４に流れることが防止される。
【００６９】
また、内視鏡タグ用Ｒ／Ｗ５１を傾斜面３７ｂに設け、この傾斜面３７ｂ及び嵌合部５２ａの表面に撥水性コートを施すとともに、乾燥風を吹き付けることで、嵌合部５２ａの表面から処理液（水分）を完全に除去することができる。これにより、内視鏡タグ用Ｒ／Ｗ５１を洗浄槽１４に設けた場合でも、内視鏡タグ用Ｒ／Ｗ５１の性能が低下（内視鏡タグ用Ｒ／Ｗ５１と内視鏡タグ４８との通信可能距離が激減）することが防止される。
【００７０】
次に、図７を用いて、本発明の第２実施形態の洗浄装置７５について説明を行う。上記第１実施形態の洗浄装置１０では、装置本体１３にカードタグ用リーダ２２を設け、このカードタグ用リーダ２２によりカードタグ２４からオペレータＩＤを取得している。これに対して、洗浄装置７５では、洗浄槽１４に設けた共用Ｒ／Ｗユニット７６の共用リーダライタ（Ｒ／Ｗ）７７により、（ａ）オペレータＩＤの取得、（ｂ）内視鏡ＩＤの取得、（ｃ）洗浄消毒結果情報の書き込みの全てを行う。
【００７１】
洗浄装置７５は、共用Ｒ／Ｗユニット７６及び蓋７８を除いて、第１実施形態の洗浄装置１０と同じ構成であるため、第１実施形態と同じ構成については前述の図１〜図５を参照されたい。
【００７２】
共用Ｒ／Ｗユニット７６は、基本的には第１実施形態のＲ／Ｗユニット４９と同じ構成であり、保持部材５２と共用Ｒ／Ｗ７７とから構成されている。また、保持部材５２及び共用Ｒ／Ｗ７７は、第１実施形態と同じ取付構造によって、それぞれ傾斜面３７ｂ、保持部材５２に取り付けられている。
【００７３】
共用Ｒ／Ｗ７７も、基本的には第１実施形態の内視鏡タグ用Ｒ／Ｗ５１と同じものであり、前述の内視鏡ＩＤの取得・洗浄消毒結果情報の書き込みに加えて、オペレータＩＤの取得も行う。このため、ＩＤカード２３のカードタグ７９は、共用Ｒ／Ｗ７７から発信されるＩＤリクエストを受信したときにオペレータＩＤを発信し、共用Ｒ／Ｗ７７はカードタグ７９から発信されるオペレータＩＤを受信する。
【００７４】
共用Ｒ／Ｗ７７でオペレータＩＤの取得を行う際に、ＩＤカード２３を洗浄槽１４内に入れると、特に内視鏡１２が洗浄槽１４内に先にセットされている場合には、ＩＤカード２３を誤って内視鏡１２に接触させて、ＩＤカード２３が汚染されてしまうおそれがある。また、共用Ｒ／Ｗ７７が汚染されている場合には、この共用Ｒ／Ｗ７７にＩＤカード２３を接触させると、ＩＤカード２３も汚染されてしまう。このため、第２実施形態では、蓋７８を閉じた状態でも共用Ｒ／Ｗ７７によりオペレータＩＤの取得が行えるように、蓋７８の材質・形状を決定している。
【００７５】
蓋７８は、保持部材５２と同様に電波透過材料（例えばＡＢＳ樹脂）で形成されている。これにより、共用Ｒ／Ｗ７７から発信されたＩＤリクエストは、蓋７８を通してカードタグ７９で受信可能となり、このＩＤリクエストに応じてカードタグ７９から発信されるオペレータＩＤも、蓋７８を通して共用Ｒ／Ｗ７７で受信可能となる。
【００７６】
また、共用Ｒ／Ｗ７７が、蓋７８上にあるカードタグ７９からオペレータＩＤを取得するためには、両者の距離が通信可能距離（数ｃｍ）の範囲内になる必要がある。このため、蓋７８には、その共用Ｒ／Ｗユニット７６（傾斜面３７ｂ）の略上方に位置する部分を凹ませて形成したカードセット部８０が設けられている。
【００７７】
カードセット部８０は、ＩＤカード２３を挿入可能な大きさ・形状に形成されている。カードセット部８０は、共用Ｒ／Ｗユニット７６に対向し、且つ共用Ｒ／Ｗユニット７６（共用Ｒ／Ｗ７７）との距離が前述の通信可能距離の範囲内になるカード接触面８０ａを有している。
【００７８】
カード接触面８０ａの表面（上面）には、ＩＤカード２３のセット位置・姿勢等を示すマーク等（図示せず）が形成されている。また、カード接触面８０ａは、無線電波が透過し易いように、カードセット部８０の他の部分よりも厚みが薄く形成されている。
【００７９】
オペレータがＩＤカード２３をカード接触面８０ａに接触させると、カードタグ７９と共用Ｒ／Ｗ７７との距離が通信可能距離の範囲内となり、双方の通信が確立する。これにより、共用Ｒ／Ｗ７７は、蓋７８が閉じた状態でもＩＤカード２３のカードタグ７９からオペレータＩＤを取得することができる。
【００８０】
上記構成の洗浄装置７５の作用（各ＩＤの取得手順等）については、前述の図６を用いて説明した第１実施形態の洗浄装置１０の作用と同じであり、図６中の「ＩＤカードをカードタグ用リーダに接触」を「ＩＤカードをカード接触面に接触」に置き換えるだけでよいので、説明・図示は省略する。
【００８１】
本発明の第２実施形態の洗浄装置７５では、１つの共用Ｒ／Ｗ７７でオペレータＩＤ、内視鏡ＩＤの取得等を行うことができるので、上記第１実施形態の洗浄装置１０とは異なり、カードタグ用リーダ２２を設ける必要が無くなる。これにより、装置のコストダウンが可能となる。また、蓋７８を電波透過材料で形成するとともに、この蓋７８にカードセット部８０を形成したので、蓋７８が閉じた状態でもオペレータＩＤの取得を行うことができる。これにより、ＩＤカード２３の汚染を防止することができる。
【００８２】
上記第２実施形態では、蓋７８の全てを電波透過材料で形成する場合について説明を行ったが、本発明はこれに限定されるものではなく、カードセット部８０またはカード接触面８０ａのみを電波透過材料で形成してもよい。
【００８３】
上記各実施形態では、Ｒ／Ｗユニット４９，７６を内側面３７の傾斜面３７ｂに設けた場合を例に挙げて説明を行ったが、本発明はこれに限定されるものではなく、例えば、第１及び第２鉛直面３７ａ，３７ｂ等の処理液の水面Ｓ（底面１４ｃ）に対して鉛直な面に設けてもよい。また、洗浄槽１４の内側面３７以外の内側面等の処理液が流れ落ち易い（留まり難い）箇所に設けてもよい。この場合には、Ｒ／Ｗユニット４９，７６に乾燥風を吹き付けることができるように、乾燥用ノズル４２の形状・長さを適宜変更する。また、保持部材５２によって、Ｒ／Ｗ５１，７７を洗浄槽１４の外側に保持する代わりに、洗浄槽１４の内側に保持してもよい。
【００８４】
上記各実施形態では、各Ｒ／Ｗ５１，７７により内視鏡タグ４８からの内視鏡ＩＤの取得、及び内視鏡タグ４８への洗浄消毒結果情報の書き込みを行うようにしたが、本発明はこれに限定されるものではなく、各Ｒ／Ｗ５１，７７の代わりにタグリーダを設けて、ＩＤの取得のみを行うようにしてもよい。
【００８５】
上記各実施形態では、洗浄処理の終了後に嵌合部５２ａの表面等に乾燥風の吹き付けを行っているが、本発明はこれに限定されるものではなく、内視鏡ＩＤの取得前にも行ってよい。また、乾燥用ノズル４２から嵌合部５２ａの表面に乾燥風を吹き付けるだけでなく、アルコールを吹き付けることで、嵌合部５２ａの表面上の水分を除去してもよい。
【００８６】
次に、図８を用いて、本発明の第３実施形態の洗浄装置８５について説明を行う。上記第２実施形態では、洗浄槽１４内に設けられた共用Ｒ／Ｗユニット７６により、ＩＤカード２３のカードタグ７９や内視鏡１２の内視鏡タグ４８との通信（ＩＤ取得・洗浄消毒結果情報書き込み）を行っているが、第３実施形態では、洗浄槽１４外に設けられた共用Ｒ／Ｗユニット８６により、カードタグ７９及び内視鏡タグ４８との通信を行う。
【００８７】
なお、洗浄装置８５は、基本的には上記第１及び第２実施形態の洗浄装置１０，７５と同じ構成であるため、第１及び第２実施形態と同じ構成については前述の図１〜図７を参照されたい。ただし、第３実施形態では、洗浄槽１４の縁部１４ｄは洗浄槽１４と一体（別体でも可）にＳＵＳ等の金属で形成されており、この金属製の縁部１４ｄに操作部１３ａが設けられている。
【００８８】
操作部１３ａの一部は、洗浄槽１４の水面Ｓ（図９参照）に向かって傾斜した傾斜面１３ｂになっており、この傾斜面１３ｂに共用Ｒ／Ｗユニット８６が設けられている。また、電波透過材料製の蓋７８は、閉じ状態にあるときに操作部１３ａの傾斜面１３ｂを覆うようにその一部が突出した形状を有している。そして、この蓋７８の突出部分（共用Ｒ／Ｗユニット８６の上方部分）を、傾斜面１３ｂに沿うように凹ませてカードセット部８７を形成している（図９参照）。
【００８９】
図９に示すように、共用Ｒ／Ｗユニット８６は、基本的には第２実施形態のＲ／Ｗユニット７６と同じ構成であり、保持部材８９と共用Ｒ／Ｗ９０とから構成されている。また、保持部材８９及び共用Ｒ／Ｗ９０は、基本的には上記第１実施形態と同じ取り付け構造で、それぞれ傾斜面１３ｂ、保持部材８９に取り付けられている。
【００９０】
保持部材８９は、基本的には上記第１及び第２実施形態の保持部材５２と同じものであり、傾斜面１３ｂに形成された切り欠き穴９１に嵌合する嵌合部８９ａを有している。この保持部材８９は、共用Ｒ／Ｗ９０を切り欠き穴９１に挿入した状態で保持する。また、嵌合部８９ａの表面、及び傾斜面１３ｂには、上記第１及び第２実施形態と同様に、撥水性コートが施されている。これにより、嵌合部８９ａの表面及び傾斜面１３ｂに付着した液体（汚れ）が洗浄槽１４へより流れ落ち易くなる。
【００９１】
共用Ｒ／Ｗ９０は、基本的には第２実施形態の共用Ｒ／Ｗ７７と同じものであり、上記第２実施形態で説明したように、内視鏡ＩＤの取得・洗浄消毒結果情報の書き込みと、オペレータＩＤの取得を行う。共用Ｒ／Ｗ９０で内視鏡ＩＤの取得・洗浄消毒結果情報の書き込みを行う場合には、内視鏡１２を共用Ｒ／Ｗユニット８６に近づける、或いは接触させる。また、共用Ｒ／Ｗ９０でオペレータＩＤの取得を行う場合には、上記第２実施形態で説明したように、ＩＤカード２３の汚染を防止するため、蓋７８を閉じた状態でＩＤカード２３をカードセット部８７にセットする。
【００９２】
カードセット部８７は、第２実施形態のカードセット部８０と同様に、ＩＤカード２３を挿入可能な大きさ・形状に形成されており、共用Ｒ／Ｗ９０との距離が前述の通信可能距離の範囲内になるカード接触面８７ａを有している。
【００９３】
上記第２実施形態と同様に、オペレータがＩＤカード２３をカード接触面８７ａに接触させると、カードタグ７９と共用Ｒ／Ｗ９０との距離が通信可能距離の範囲内となるので、共用Ｒ／Ｗ９０は、蓋７８が閉じた状態でもＩＤカード２３からオペレータＩＤを取得することができる。
【００９４】
以上のように、本発明の第３実施形態の洗浄装置８５も、共用Ｒ／Ｗ９０の周囲のＳＵＳ（縁部１４ｄ）を切り欠くことで、共用Ｒ／Ｗ９０に入出力される無線電波が縁部１４ｄに流れることが防止される。また、１つの共用Ｒ／Ｗ９０でオペレータＩＤ、内視鏡ＩＤの取得等を行うことができるので、上記第２実施形態の洗浄装置７５と同様に、装置のコストダウンとＩＤカード２３の汚染防止が可能になる。更に、共用Ｒ／Ｗユニット８６に液体（汚れ）が付着した場合でも、傾斜面１３ｂの傾きと撥水性コートにより、液体が洗浄槽１４へ流れ落ち易くなる。これにより、液体が原因で共用Ｒ／Ｗ９０の性能が低下することが防止される。
【００９５】
上記各実施形態では、内視鏡に洗浄、消毒、すすぎを施す洗浄装置を例に挙げて説明を行ったが、本発明は、リプロセス処理として洗浄、消毒、滅菌の少なくともいずれか一つを行うリプロセス処理装置にも適用可能である。また、本発明は内視鏡用のリプロセス処理装置に限定されるものではなく、各種医療用具にリプロセス処理を施すリプロセス処理装置に本発明を適用することができる。
【図面の簡単な説明】
【００９６】
【図１】洗浄装置の斜視図である。
【図２】洗浄装置の洗浄槽の上面図である。
【図３】図２中の二点鎖線円内の拡大図である。
【図４】図３中のＩＶ−ＩＶ線に沿う断面図である。
【図５】洗浄装置の電気的構成を示すブロック図である。
【図６】洗浄装置における内視鏡ＩＤ及びオペレータＩＤの取得手順等を説明するためのフローチャートである。
【図７】洗浄槽内に共用Ｒ／Ｗユニットを設けた他実施形態の洗浄装置の断面図である。
【図８】洗浄槽の縁部に共用Ｒ／Ｗユニットを設けた他実施形態の洗浄装置の斜視図である。
【図９】図８の共用Ｒ／Ｗユニットの断面図である。
【符号の説明】
【００９７】
１０，７５，８５  洗浄装置
１２  内視鏡
１４  洗浄槽
１５  蓋
２２  カードタグ用リーダ
２３  ＩＤカード
２４，７９  カードタグ
３３  操作部
３７  内側面
３７ｂ  傾斜面
４２  乾燥用ノズル
４９  内視鏡タグ用リーダライタユニット（Ｒ／Ｗユニット）
５１  内視鏡タグ用リーダライタ（内視鏡タグ用Ｒ／Ｗ）
５２，８９  保持部材
７６、８６  共用リーダライタユニット（共用Ｒ／Ｗユニット）
７７、９０  共用リーダライタ（共用Ｒ／Ｗ）
【図１】
2010063610.tif 000003
【図２】
2010063610.tif 000004
【図３】
2010063610.tif 000005
【図４】
2010063610.tif 000006
【図５】
2010063610.tif 000007
【図６】
2010063610.tif 000008
【図７】
2010063610.tif 000009
【図８】
2010063610.tif 000010
【図９】
2010063610.tif 000011